(57)【要約】【課題】  座板受という部品を必要とすることがなく、金属製脚の頂部が木製の座板の外側に来ないようにする。【解決手段】  間隔を設けて左右１対の金属製のコ字状脚部１、１を形成する。各コ字状脚部１の前後間隔を末広状に形成する。それぞれ脚キャップ２を外嵌した左右１対のコ字状脚部１、１の各後脚１ａ上方に後方金属管１０を掛設する。水平部１２の両端から上向きに斜設して成る前方金属管１１の両端１３をそれぞれ左右１対のコ字状脚部１、１の上方に固着して掛設する。水平部１２に軟質プラスチックまたはゴム製の当り止め１４、１４を密着し、木製の座板３の後方両角部に切欠部３０、３０を形成する。座板３を前左右１対のコ字状脚部１、１上へ載置かつ固定する。【選択図】  図１
2017042509.tif 000002
【特許請求の範囲】
【請求項１】
間隔を設けて左右１対の金属製のコ字状脚部を形成し、前記各コ字状脚部の前後間隔を末広状に形成し、それぞれ脚キャップを外嵌した前記左右１対のコ字状脚部の各後脚上方に後方金属管を掛設し、水平部の両端から上向きに斜設して成る前方金属管の両端をそれぞれ前記左右１対のコ字状脚部の上方に固着して掛設し、前記水平部に軟質プラスチックまたはゴム製の当り止めを密着し、木製の座板の後方両角部に切欠部を形成し、前記座板を前記左右１対のコ字状脚部上へ載置かつ固定することを特徴とする子供用スツール。
【請求項２】
座板の前方部に前垂部を形成し、しかも前記前垂部の外端弧を弓状に形成することを特徴とする請求項１の子供用スツール。
【発明の詳細な説明】
【技術分野】
【０００１】
幼稚園等の子供用施設や家庭で用いられる小型のスツールに関する。
【背景技術】
【０００２】
従来より前記スツールとして木製の座板をスチール製の両脚部内に取付け、しかも例えば縦・横がそれぞれ約３００mm、高さが約２７０mm程度の小型のスツール（背もたれのない腰掛）が使用され、しかもコ字状の脚部の間隔を末広状にして不使用時には複数個の前記スツールを積重ねられるようにしている。
【０００３】
具体的には図７、図８で示すように１対のスチールパイプより成る前述のコ字状脚部ａ、ａの各水平頂部ａ１に金属製で、しかも細長状の内向き座板受ｂを溶着し、間隔を置いて配置したコ字状脚部ａ、ａと一体の内向き座板受ｂ、ｂに木製の座板ｃを載置し、ボルト締めして固定している
【先行技術文献】
【特許文献】
【０００４】
【特許文献１】なし
【非特許文献】
【０００５】
【非特許文献１】なし
【発明の概要】
【発明が解決しようとする課題】
【０００６】
前述の従来例は各脚部に各内向き座板受を溶着しなければならず座板受という部品を必要とする上、溶着という熟練者による作業手間を必要とする。
【０００７】
また図７で示すようにスチールパイプａ、ａが木製の座板ｂの外側に位置するので、子供逹が着席中のスチールパイプに腰をぶつけたりするようなことが想定でき、危険である。
【０００８】
本発明は前記不都合を解消することを課題とする。
【課題を解決するための手段】
【０００９】
本発明は第１に間隔を設けて左右１対の金属製のコ字状脚部を形成し、前記各コ字状脚部の前後間隔を末広状に形成し、それぞれ脚キャップを外嵌した前記左右１対のコ字状脚部の各後脚上方に後方金属管を掛設し、水平部の両端から上向きに斜設して成る前方金属管の両端をそれぞれ前記左右１対のコ字状脚部の上方に固着して掛設し、前記水平部に軟質プラスチックまたはゴム製の当り止めを密着し、木製の座板の後方両角部に切欠部を形成し、前記座板を前記左右１対のコ字状脚部上へ載置かつ固定することを特徴とするものである。
【００１０】
本発明は第２に前記第１の手段に加えて、座板の前方部に前垂部を形成し、しかも前記前垂部の外端弧を弓状に形成することを特徴とするものである。
【発明の効果】
【００１１】
第１の本発明によれば、従来例のように内向き座板受を必要とせず、座板を脚部に固定するだけでよく、容易かつ安価に製造することができ、しかも金属製の脚部上に木製の座板が位置するので着席中の子供逹は金属製脚部に腰をぶつけることがなく安全である。
【００１２】
本発明によるスツールを積み重ねた場合、水平部の当り止めが下方の座板に接触し、下方の座板は損傷することがなく、横ずれすることがない。しかも座板の後方両角部に切欠部を有するので、前記切欠部に上に積んだ後脚が係挿し、左右にずれにくい。
【００１３】
また第２の本発明によれば、金属製の左右脚を木製の座板が蔽っているにもかかわらず、上方のスツールの金属製の前脚と下方のスツールの木製の座板の前垂部が図４・５で示すように接触することがなく、安定よく積重ねることができる。さらに前垂部の外端弧が弓状なので、ひざ裏の当たりが優しく、衣服を傷つけにくい。
【図面の簡単な説明】
【００１４】
【図１】本発明の斜視図である。
【図２】同上の平面図である。
【図３】同上のＡ−Ａ断面図である。
【図４】本発明例を積重ねた状態の前方斜視図である。
【図５】同上の後方斜視図である。
【図６】同上の縦断面図である。
【図７】従来例の平面図である。
【図８】同上の側面図である。
【発明を実施するための形態】
【００１５】
金属製、具体的にはスチール製のパイプによりコ字状脚部１、１を左右１対、間隔Ｄを置いて形成する。
【００１６】
各コ字状脚部１はその前後間隔ｄを下方に行くに従い広がる、いわゆる末広状に形成し、各脚部１にゴムまたは軟質プラスチック製の脚キャップ２を外嵌する。
【００１７】
図２、図５で示すように左右１対のコ字状脚部１、１の後脚１ａ、１ａ上方にスチールによりなる後方金属管１０を掛設する。具体的には後方金属管１０の各端部を各コ字状脚部１、１に溶着する。
【００１８】
スチールにより一体的にしてなる前方金属管１１は、水平部１２の両端を斜め上向きに折り曲げて（図３で明示）形成し、前記両端を左右１対のコ字状脚部１、１の上方に溶着して掛設し、しかも水平部１２に軟質プラスチックまたはゴム製の当り止め１４、１４を密着する。具体的には図示のような水平部１２に細孔１２ａ（図３）を穿設しておき、図示のような断面半円状の当り止め１４、１４から突設した突起１４ａ（図３）を細孔１２ａに嵌挿するとともに各当り止め１４を水平部１２に嵌合する。なお前記密着手段自体は周知であり、図２のように２ケが好ましい。各当り止め１４を水平部１２に接着してもよい。いずれにしても前述のように密着すればよい。
【００１９】
後述のように上段の水平部１２の高さ位置は積重ね時の下段の座板３上に当り止め１４、１４が当接する位置であることはいうまでもない。
【００２０】
木製の座板３を水平に形成するとともに、スツールの前後を視認できるように前端を下方に曲げ、後方を僅かに上方に曲げる。
【００２１】
座板３の後方両角部に切欠部３０、３０を形成し、座板３の前垂部３２の外端弧３３を弓状に緩やかな凸弧に形成する。座板３をコ字状脚部１、１上に載置かつ固定する。具体的にはリベットによるかしめ、ねじ止等いずれでもよい。
【００２２】
次に使用法を説明すれば、前述のようにスツールの前後を視認した後、座板３に腰掛ける。このとき従来例のように両側にスチールパイプの頂部が座板より表出していないから子供逹は安全に腰掛けることができる。また前垂部３２が弓状であるので被服をひっかけることがない。
【００２３】
複数のスツールを積み重ねるには図４、図５、図６のように上方のスツールの各脚部１が下方のスツールの各脚部を跨設する。このとき上段の後脚１は下段の各切欠部３０、３０に係挿する。なお脚キャップ２、２・・を有するため上方の各脚キャップ２が各脚部１の表面に接触し、上下の脚部１、１同士には僅かな隙間が生じ、金属製の脚同士１、１は接触せず、また図２で示すように前垂部３２の外端弧３３は急な凸弧ではなく、緩い弓状なので図５で示すように木製の座板３とスチール脚は接触せず、さらに下段のスツールの座板３には上段の当り止め１４、１４が柔かく接触し、前述のように座板の損傷、横ずれが防止される。
【００２４】
なお、本発明による一実施例の大きさは縦３１３mm、横２７１mm、高さ２７０mmである。
【符号の説明】
【００２５】
１  コ字状脚部
１ａ  後脚
２  脚キャップ
３  座板
１０  後方金属管
１１  前方金属管
１２  水平部
１３  両端
１４  当り止め
３０  切欠部
３１  前方部
３２  前垂部
３３  外端弧
Ｄ  間隔
ｄ  前後間隔
【図１】
2017042509.tif 000003
【図２】
2017042509.tif 000004
【図３】
2017042509.tif 000005
【図４】
2017042509.tif 000006
【図５】
2017042509.tif 000007
【図６】
2017042509.tif 000008
【図７】
2017042509.tif 000009
【図８】
2017042509.tif 000010